(57)【要約】      （修正有）【課題】移動電話において販売用の商品を見たり、選択できるようにする。【解決手段】移動電話１０は画面を有し、該表示領域は、コントロール領域と、コントロール「ボタン」と、背景ゾーンとを含み、背景ゾーンにはサーバ１８からアイテムの画像が送られ、画像は背景プロファイルの表示スロットに表示され、個々のアイテムは選択ポイントにあるときに選択され、前景ゾーンに説明カードと共に表示される。前景ゾーンビューは選択されたアイテムの異なるビューであったり、異なる眺めや距離からのビューが可能である。画像は写真の形式或いは組み立てて完成画像とする構築可能な画像パーツの組として提供できる。モニター装置は観察されているアイテム或いは商品のタイプをモニターし、観察されたアイテムの内容の変更の方向を見出し、次に観察されるバッチ内のアイテムを調節し主題の変化の方向を反映する。【選択図】図１
2010035195.tif 000002
【特許請求の範囲】
【請求項１】
アイテム表示方法であって、
表示装置が第１の画像を表示領域の背景表示部に表示し、
第１の画像の選択に応答して、前記表示装置は、第２の画像を表示領域の前景表示部に表示し、
着信通信の無線送信を受信するのに応答して、前記表示装置は、前記第１の画像及び第２の画像の表示を中断し、
前記第１の画像、第２の画像、前景表示部の状態、または背景表示部の状態のうちの少なくともいずれか一つを表わす状態情報を記憶し、
前記第１の画像及び第２の画像の表示を中断したことに続き、表示装置は記憶された状態情報を用いて前記第１の画像または第２の画像のうちの少なくともいずれか一つを表示する、
ことを特徴とするアイテム表示方法。
【請求項２】
前記表示装置は電話装置であり、また前記着信通信は電話の呼び出しであることを特徴とする請求項１記載のアイテム表示方法。
【請求項３】
前記第２の画像の表示においては、前記第１の画像を、選択可能な方向からまたは選択可能な距離から表示することを特徴とする請求項１又は２記載のアイテム表示方法。
【請求項４】
前記第１の画像は広告される対象物を表わすものであり、前記第２の画像は同じ対象物を表わすものであり、
前記第２の画像のサイズは前記第１の画像のサイズよりも大きく、また、
第２の画像は、当該第２の画像と重なり且つ背景表示部に存在している如何なる画像も覆い隠すようにすることを特徴とする請求項１乃至３のいずれかに記載のアイテム表示方法。
【請求項５】
前記第１の画像が第１の写真の表示を含むことを特徴とする請求項１乃至４のいずれかに記載のアイテム表示方法。
【請求項６】
前記表示装置は、画像が前景表示部に表示されるべく選択されるまで、当該画像を背景表示部を横切って移動させることを特徴とする請求項１乃至５のいずれかに記載のアイテム表示方法。
【請求項７】
前記表示装置は、前記第１の画像の選択に応答して、第３の画像を背景表示部に表示し、前記第１の画像を背景表示部から移動させることを特徴とする請求項１乃至６のいずれかに記載のアイテム表示方法。
【請求項８】
前記第１の画像により表わされる商品又はサービスの分類について検出する段階と、
前記分類を用いて選択された追加的な画像を表示するために受け取る段階とを含む請求項１乃至７のいずれかに記載のアイテム表示方法。
【請求項９】
アイテム表示システムであって、
送信されてきた第１の画像を受信する無線受信機と、
表示装置と、を備え
第１の画像を表示装置の背景表示部に表示し、
第１の画像の選択に応答して、前記表示装置は、第２の画像を前記表示装置の前景表示部に表示し、
無線受信機で着信通信を受信する動作に応答して、
前記第１の画像及び第２の画像の表示を中断し、
前記第１の画像、第２の画像、前景表示部の状態、または背景表示部の状態のうちの少なくともいずれか一つを表わす状態情報を記憶し、
前記第１の画像及び第２の画像の表示を中断したことに続き、記憶された状態情報を用いて前記第１の画像または第２の画像のうちの少なくともいずれか一つを表示する、
ことを特徴とするアイテム表示システム。
【請求項１０】
前記着信通信は電話の呼び出しであることを特徴とする請求項９記載のアイテム表示システム。
【請求項１１】
前記第２の画像の表示においては、前記第１の画像を、選択可能な方向からまたは選択可能な距離から表示することを含み、また、
前記第２の画像のサイズは前記第１の画像のサイズよりも大きく、また、
前記第２の画像は、当該第２の画像と重なり且つ背景表示部に存在している如何なる画像も覆い隠すようにすることを特徴とする請求項９又は１０記載のアイテム表示システム。
【請求項１２】
無線受信機、プロセッサ、及び如何なるメモリも無線電話機の中にあることを特徴とする請求項９乃至１１のいずれかに記載のアイテム表示システム。
【請求項１３】
画像が前景表示部に表示されるべく選択されるまで、当該画像を背景表示部を横切って移動させることを特徴とする請求項９乃至１２のいずれかに記載のアイテム表示システム。
【請求項１４】
前記第１の画像の選択に応答して、第３の画像を背景表示部に表示し、前記第１の画像を背景表示部から移動させることを特徴とする請求項９乃至１３のいずれかに記載のアイテム表示システム。
【請求項１５】
前記第１の画像及び第２の画像の表示を中断したことに続き、表示システムは記憶された状態情報を用いて前記第１の画像及び第２の画像を表示することを特徴とする請求項９乃至１４のいずれかに記載のアイテム表示システム。
【請求項１６】
前記第１の画像は商品又はサービスの広告であることを特徴とする請求項９乃至１５のいずれかに記載のアイテム表示システム。
【請求項１７】
前記第１の画像により表わされる商品又はサービスの分類について検出し、前記分類を用いて選択された画像を表示するために受け取ることを特徴とする請求項９乃至１６のいずれかに記載のアイテム表示システム。
【請求項１８】
デバイスにより実行されたらそのデバイスに、
第１の画像を表示領域の背景表示部に表示し、
第１の画像の選択に応答して、第２の画像を表示領域の前景表示部に表示し、
着信通信の無線送信を受信するのに応答して、
前記第１の画像及び第２の画像の表示を中断し、
前記第１の画像、第２の画像、前景表示部の状態、または背景表示部の状態のうちの少なくともいずれか一つを表わす状態情報を記憶し、また、
前記第１の画像及び第２の画像の表示を中断したことに続き、記憶された状態情報を用いて前記第１の画像または第２の画像のうちの少なくともいずれか一つを表示する、
アイテム表示方法を実現させる、コンピュータ処理可能な命令を記憶する、コンピュータ読出し可能な記憶媒体。
【請求項１９】
前記着信通信は電話の呼び出しであることを特徴とする請求項１８記載の記憶媒体。
【請求項２０】
前記第２の画像の表示においては、前記第１の画像を、選択可能な方向からまたは選択可能な距離から表示することを特徴とする請求項１８又は１９記載の記憶媒体。
【請求項２１】
前記第１の画像は広告される対象物を表わすものであり、前記第２の画像は同じ対象物を表わすものであり、
前記第２の画像のサイズは前記第１の画像のサイズよりも大きく、また、第２の画像は、当該第２の画像と重なり且つ背景表示部に存在している如何なる画像も覆い隠すようにすることを特徴とする請求項１８乃至２０のいずれかに記載の記憶媒体。
【請求項２２】
前記第１の画像が第１の写真の表示を含むことを特徴とする請求項１８乃至２１のいずれかに記載の記憶媒体。
【請求項２３】
前記アイテム表示方法は、画像が前景表示部に表示されるべく選択されるまで、当該画像を背景表示部を横切って移動させる段階をさらに含む請求項１８乃至２２のいずれかに記載の記憶媒体。
【請求項２４】
前記アイテム表示方法は、前記第１の画像の選択に応答して、無線電話機が第３の画像を背景表示部に表示し、前記第１の画像を背景表示部から移動させる段階をさらに含む請求項１８乃至２３のいずれかに記載の記憶媒体。
【請求項２５】
前記アイテム表示方法は、
前記第１の画像により表わされる商品又はサービスの分類について検出する段階と、
前記分類を用いて選択された追加的な画像を表示するために受け取る段階とをさらに含む請求項１８乃至２４のいずれかに記載の記憶媒体。
【発明の詳細な説明】
【技術分野】
【０００１】
本発明は、対象物の画像を画面に表示するための方法と装置に関する。詳しくは、本発明は、移動電話装置におけるそのような表示に関する。更に詳しくは、本発明は、帯域幅或いは他のネットワークリソースが制限を受けている状況下での、使用者(viewer)による対象物の画像の選択と表示に関する。
【背景技術】
【０００２】
最近の移動電話は、各種機能と共に、画像を受け取って表示する機能を有するようになっている。現在、スイッチが入れられているときはハンドセットが常に有効に接続される第三世代の携帯電話が普及しつつある。これにより、販売のための商品やサービスの提供を含むより多くのサービスが可能となっている。
【０００３】
加入者数が増加しているだけでなく画像転送の質を改善することが期待されているため、画像転送に利用できる帯域幅が特に問題となってきている。画質が低下する、画像の表示速度が遅くなる、或いはこれら両方の問題が同時に生じる。
【０００４】
アイテムを販売目的で提示する場合に最も望まれることは、「販売カタログ」の画像が高品質であることである。低画質の画像では潜在的購入者に商品の購入を勧めることはできないであろう。画像が現れるのが遅いと、潜在的顧客が興味を失ってしまうであろう。更に、商品は潜在的顧客によって操作されある程度詳細に検討できようになっていることが望ましい。これは、システムの負担を増加させる。
【発明の概要】
【発明が解決しようとする課題】
【０００５】
本発明は、受信ハンドセットにおいて高品質の画像を利用できるようにする方法と装置を提供しようとするものである。更に、本発明は、潜在的購入者が表示されたアイテムを注意深く検討し操作できるようにするものである。また、本発明は、顧客の購入に対する関心が自動的に評価され、関心を示すであろうアイテムが潜在的顧客に対して提示されるシステムを提供しようとするものである。
【課題を解決するための手段】
【０００６】
本発明は、その第１の様相において、対象物の画像を表示する方法に係るものであり、前記方法は、対象物の一以上の画像を受信機に送る段階と、前記受信機において、選択候補として対象物の第１の画像を背景として画面に表示する段階と、対象物の第１の画像が選択された場合、該画像を前記画面の前景に前進させる段階と、選択された対象物の或る前景の或る画像であって選択可能に表示可能で第１の画像とは別の少なくとも一の画像を受信機において提供する段階とを含む。
【０００７】
本発明は、その第２の様相において、対象物の画像を表示するシステムに係るものであり、前記システムは、受信機と、前記受信機に対象物の一以上の画像を送るように機能する送信手段と、選択候補として対象物の第１の画像を背景として前記受信機において画面に表示する手段と、対象物の第１の画像が選択された場合、該画像を前記画面の前景に前進させる手段と、選択された対象物の或る前景の或る画像であって選択可能に表示可能で第１の画像とは別の少なくとも一の画像を前記受信機において提供する手段とを含む。
【０００８】
本発明は、その第３の様相において、このようなシステムにおける受信手段であって、前記受信機として働くように機能する受信手段に係るものである。
【０００９】
本発明は、その第４の様相において、このような方法と共に用いられる場合の受信手段であって、前記受信機として働くように機能する受信手段に係るものである。
【００１０】
本発明は、その第５の様相において、このようなシステムにおいて画像の転送に用いる送信手段に係るものである。
【００１１】
本発明は、その第６の様相において、このような方法と共に画像の転送に用いる送信手段に係るものである。
【００１２】
本発明は、受信機に画像を送る段階が、受信機に画像の構築可能なパーツを送る段階と、画像を構築する段階とを含むことを更に提供する。
【００１３】
本発明は、画像の構築可能なパーツが、画像を表すことを意図した対象物の形状を表すワイヤフレームのための仕様と、ワイヤフレーム上に画像を表すことを意図した対象物の外観を表すテクスチャ化スキンを提供するための仕様とを含むことを更に提供する。
【００１４】
本発明は、画像を表すことを意図した対象物の形状を表すワイヤフレームのための仕様が、初期メッシュのポイントの仕様と、該メッシュを連続的に分割し対象物の形状を有するフレームを提供する手段とを含むことを更に提供する。
【００１５】
本発明は、構築された画像を選択可能な方向及び／又は距離から見ることにより、少なくとも一の別の前景ビューを得ることができることを更に提供する。
【００１６】
本発明は、受信機に画像を送る段階が対象物の写真の表示の提供を含むことを更に提供する。
【００１７】
本発明は、受信機において少なくとも一の別の選択可能な前景ビューを提供す  る段階が、対象物を異なる視点から見た写真の少なくとも一の別の表示を受信  機に送ることを含むことを更に提供する。
【００１８】
本発明は、対象物が複数の対象物の内の一であり、複数の対象物の各々の画像が前景に表示されるべく選択されるまで背景領域を横切って移動可能であることを更に提供する。
【００１９】
本発明は、選択された対象物の前景表示が、選択された画像のサイズを大きくすることと、該画像と重なり且つ背景にまだ存在している如何なる画像も前記選択された画像によって覆い隠されるようにすることと、を含むことができることを更に提供する。
【００２０】
本発明は、画像がどのようなものであるかに関わりなく等価なものとして対象物の画像を受け入れ、表示し、移動させ、また該画像の操作を許容する固定表示プログラムを受信機が含むことを更に提供する。
【００２１】
本発明は、前景表示のために選択された商品の内容をモニターすることと、選択された商品の分類が現在の好みから離れていく方向を検出することと、検出された方向へと現在の好みから分類が移動した画像の次のバッチを受信機に提供することとを更に提供する。
【００２２】
本発明は、その第２の様相において、前述のように使用するための受信機に係るものである。
【００２３】
本発明は、その第３の様相において、前述のように使用するための送信機に係るものである。
【００２４】
本発明は、送信機が移動電話システムであり、受信機が移動電話ハンドセット或いは携帯情報端末（Personal Digital Assistant）であることを更に提供する。
【００２５】
本発明は、送信機がインターネット送信装置であり、受信機がインターネット画像の受信機であることを更に提供する。
【００２６】
本発明は、送信機がデジタル送信装置であり、受信機がデジタル搬送された画像を受信できることを更に提供する。
【発明の効果】
【００２７】
本発明を添付の図面に関連する次の記述によって、実施例を挙げて更に説明する。
【図面の簡単な説明】
【００２８】
【図１】本発明の好ましい実施形態が提供される環境を示す略図である。
【図２Ａ】移動電話における第１の例示的画面を示す図である。
【図２Ｂ】移動電話における第１の例示的画面を示す図である。
【図３】移動電話における第２の例示的画面を示す図である。
【図４】移動電話における第３の例示的画面を示す図である。
【図５】本発明に従ってアイテムを表示しているときの移動電話の動作を示すフローチャートである。
【図６】本発明を採用している場合に移動電話がどのようにして画像を得るのかを示すフローチャートである。
【図７】本発明に従って動作する場合、移動電話がどのようにして対象物を表示するのかを示すフローチャートである。
【発明を実施するための形態】
【００２９】
図１に本発明の好ましい実施形態が提供される環境を示す。
【００３０】
移動電話１０は通信システムの一部である。移動電話１０は基地局１２と通信し、次に基地局１２は、ワイヤ、ケーブル、マイクロ波リンク或いは衛星によって、地上電話ネットワーク１４に接続され、地上電話ネットワーク１４は、別の基地局１６やサーバ１８を経由した通信を提供する。この基地局１６は、別の移動電話２０との通信を可能にする。移動電話１０は、画像を表示できる画面２２を有する。地上電話ネットワーク１４は、インターネットを経由して或いは直接ファイル転送によって、固定型コンピュータ機器２４或いはポータブルコンピュータ機器２６や、移動電話１０、２０の画面２２に表示される画像の搬送手段として働く。
【００３１】
本発明は、コンピュータ２６や２４或いはサーバ１８等の固定型リソースの、移動電話１０、２０の画面２２に画像を送る能力に関する。
【００３２】
本発明はこれ以降、移動電話１０、２０の画面２２上に画像を表示することに関して記述されるが、画面２２或いはリソースが限定された受信機器に画像を送り表示する必要があるいかなる環境にも本発明は適用されることが理解されよう。このような状況には、コンピュータ間での直接ファイル転送やテレビ、インターネットが含まれるが、これらに限定されるものではない。
【００３３】
図２Ａ及び２Ｂに、本発明の視点から見られる移動電話１０、２０の画面２２を示す。
【００３４】
図２Ａに画面２２の各種領域を示す。画面２２は製品の画像が表示される表示領域２８を含む。コントロール領域３０には複数のコントロールボタン３２が設けられているが、これらはグラフィックユーザインターフェイスではよく知られ、またパーソナルコンピュータのユーザにもよく知られた方法で機能する。バナー領域３４には、情報供与のためのテキストや画像マテリアルを載せることができる。或いは、特定の広告主或いは画面２２のコンテンツを運営するプロバイダの識別情報や装飾をサポートしているだけである。ユーザは、インデックス領域３６から、移動電話１０でどのような機能を実行するかを選択できる。特定のインデックス領域３６を選択することにより、移動電話１０、２０が達成できる任意の目的のために使用することができる。本発明の目的においては、移動電話１０、２０は休止モードにあり、ユーザから何らかの特定のタスクの実行を要求されておらず、ユーザの関心を獲得することを期待した広告を表示している。あるいは、移動電話１０、２０は、製品を見つける手段として、又は単に娯楽としての広告を表示するように故意に設定されている。更にまた、移動電話１０、２０のユーザは、オンライン販売カタログの方式で移動電話１０、２０を用いることにより、積極的に製品を探すことができる。何故移動電話１０、２０は広告を表示する必要があるのかは全く重要ではなく、本発明の記述の目的のためには表示をしていれば十分である。更に、本発明においては、表示領域２８以外にどの様な領域３０、３４、３６が表示されているのか、またそれらが実際に何を行うのかは全く重要ではない。どのようなコントロール方法、或いは選択方法が用いられるのかも全く重要ではない。また、次に記述される本発明の機能を実現できる程度のコントロールと選択を行えることが単に必要とされる。
【００３５】
本発明においては、画面２２の表示領域２８は複数のゾーンに分割される。第１のゾーンは背景ゾーン３８であり、本例においては表示領域２８の辺から辺まで広がっている。背景ゾーン３８は、複数の表示スロット４０を有し、各スロットは表示されるアイテムの画像が置かれる位置を表す。表示スロット４０は、矢印４２に示すように、表示領域２８の辺から辺へとゆっくり進むことができる。
【００３６】
また、表示領域２８は、アイテムの画像を更に詳細に表示できる前景ゾーン４４を有する。前景ゾーン４４に表示させるためのより大きな画像が示されている。移動電話１０、２０のボタン、グラフィックユーザインターフェイスのカーソル、或いはそれらの組合せを用い、前景ゾーン４４の画像を水平矢印４６又は垂直矢印４８で示すように回転させることができる。
【００３７】
本例においては、対象物の画像が選択ポイント５０に置かれているときに移動電話１０、２０の前面のコントロールボタンを用いると、その画像が表示されている背景アイテムが選択され、前景ゾーン４４の対象物とすることができる。前景ゾーン４４のアイテムの画像及び背景ゾーン３８のアイテムの画像を提供し操作する精密な方法を次に記述する。
【００３８】
図２Ａは、本発明が実施できる一方法を示すものにすぎない。アイテムの画像をただ一サイズだけで示す使用における唯一の背景ゾーンが示されている。本発明においては、複数の背景ゾーン３８を設けてもよく、それら背景ゾーン３８が異なるサイズを有していてもよく、一の背景ゾーン３８を他の背景ゾーンの前面にして三次元効果を得るために背景ゾーン３８の一が他のものを部分的に覆い隠すようにしてもよい。背景ゾーン３８と前景ゾーン３４とで対象物のサイズが異なると、サイズが大きくなるにつれ対象物が使用者(viewer)に接近するように見えるため、三次元的な印象を与える。図２Ａには三種の表示スロットのみが示されている。本発明では、表示スロット４０の数が図２Ａに示す数より多くても少なくてもよく、表示スロット４０を直線以外に配置してもよい。また、本発明では、表示スロット４０の画像を一様でないサイズにしたり、画面２２の前面からの距離を見掛け上異なるものとすることによって、表示スロット４０に視覚的な多様性を持たせることもできる。表示スロット４０は、矢印４２に示される直線上を移動するように示されている。本発明ではまた、表示スロット４０を直線以外の軌跡上を移動させてもよく、注意する必要がある唯一の基準は、表示されるアイテムの画像を表示領域２８に入れることができ、その後、前景ゾーン４４を占めるものとして選択されない限りは、表示領域２８から出すことができることである。
【００３９】
次に図２Ｂに、広告セッションが進行している標準的な表示画面２２を示す。背景ゾーン３８内の進入側表示スロット４０Ａには、表示領域２８に入ってくるシングルショットカメラが見られる。表示領域２８の中心付近の第２の表示スロット４０Ｂはデジタルカメラのメモリスティックを表示している。本例においては、説明カード５２が第２の表示スロット４０Ｂのアイテムの技術的及び価格の詳細を示すテキストを提供している。第３の表示スロット４０Ｃには、表示領域２８から出て行くテレビのセットが示されている。この時点では、ユーザはアイテムを選択しておらず、前景ゾーン４４は占拠されていない。
【００４０】
図３に、ユーザがアイテムを選択し前景ゾーン４４が占拠されている状況を示す。他のアイテムの画像は、背景ゾーン３８の各表示スロット４０Ａと４０Ｃにまだ見ることができる。選択されたアイテム５４は、ユーザの選択により背景ゾーン３８から前景ゾーン４４に移されたものである。背景ゾーン３８から前景ゾーン４４に移された選択されたアイテム５４はサイズが大きくなっている。更に、選択されたアイテム５４は、背景ゾーン３８において採用されていたビューとは異なるビューで表示することができる。また、選択されたアイテム５４の前景ビューは、背景ゾーン３８の他のアイテムの同一の領域にある部分を覆い、見えなくする。このように、選択されたアイテム５４によって三次元的に背面から前面に移される妥当な複製が達成される。
【００４１】
次いで図４に、選択されたアイテム５４の角度を変更したビューを示す。より詳細を望む場合、ユーザはグラフィックユーザインターフェイス及び／又は移動電話１０、２０のボタンを用い、選択されたアイテム５４の画像を前景ゾーン４４内で回転させる。選択されたアイテム５４の画像は、必要に応じて垂直或いは水平方向に忠実に回転する。後に説明するように、このことは、選択されたアイテム５４の表示目的のための簡単に操作できるモデルを用いるか、或いは選択されたアイテム５４の複数の画像を用いるかによって行われる。選択された対象物５４を前景ゾーン４４において調べているときには、背景ゾーン３８内のアイテムは表示させることも、表示させないこともできる。
【００４２】
図５に、本発明に従って振舞う移動電話１０、２０の動作のフローチャートを示す。
【００４３】
入口５６から第１のテスト５８に進み、セルラー電話１０、２０に広告を表示する理由があるか否かが調べられる。これは前述の理由の内のいずれかであることができる。広告を掲載する必要の無い場合、第１の動作６０は移動電話１０、２０に、必要とされるであろう他のタスクを実行させる。第１のテスト５８が、広告を掲載するのに適切であることを検出した場合、第２の動作６２が前回の関心の対象、即ち前回広告が示されていた際に見られていたものを呼び出す。次いで、第３の動作６４は表示ステージを構築し、アイテムの画像をその上に配置する。表示ステージは、基本的には図２Ａに示す表示領域２８である。これは固定されたリソースであり、実際は変化することは無いが、各種アイテムの画像が貼り付けられると変化したように見える。表示ステージ、即ち表示領域２８に関する限り、全ての画像は、表示スロット４０Ａや４０Ｂ、４０Ｃに貼り付けられて移動したり、前景ゾーン４４に移動しそのスポットにおいて操作されたりするものに過ぎない。これは移動電話１０、２０内に置かれた表示ソフトウェアの一部であり、本質的にコンパクトであり決して変化しない。しかしながら、その変化の現れ方は極めて多岐に亘る。
【００４４】
第３の動作６４において表示画面２２の画像を生成し、表示領域２８に前回のアイテムの画像を吊るすか貼り付けるかした後、第４の動作６６で表示をロールする。表示スロット４０は表示領域２８を横切って移動し、また、前景ゾーン４４は選択されたアイテムの前景ビューを取り込む準備が常にできている。
【００４５】
移動電話１０、２０は、表示領域２８の背景ゾーン３８に表示されるアイテムの画像を有限個保持できるメモリを含む。アイテムの最後の画像がまだ表示されていない限りは、画面２２を途切れることなく続けることができる。しかしながら、第２のテスト６８は、画像が使い切られたか否かを継続的に調べなければならない。表示されるアイテムの画像が使い切られていた場合、第５の動作７０は移動電話１０、２０に、他の組の画像が提供されるように要求を出させる。これらの画像は、地上電話ネットワーク１４内のサーバ１８や他のリソースから送信されることによって得られる。
【００４６】
第２のテスト６８において、画像が使い切られてしまったことが検出されなかった場合、第３のテスト７２は、移動電話１０、２０のユーザが、前景ゾーン４４における検討のために示されるアイテムを選択しているか否かを調べる。彼或いは彼女がまだ選択をしていない場合、表示はロールし続ける。ユーザが前景ゾーン４４における表示のためのアイテムを選択している場合、第６の動作７４は選択されたアイテムの識別情報を記録する。次いで、第７の動作７６は主題の方向を算定し設定する。従って、大型トラックを見ていたユーザが自動車に関心を示した場合、主題の方向は自動車或いはより小型のトラックに向けられる。従って、移動電話１０、２０に提供される次の画像或いは画像の組は、前回表示されていた大型トラックよりも小型の自動車を示すであろう。ユーザが再度自動車を選択すると、次のアイテムは、より多くの自動車を表示するアイテムを混ぜ合わせたものから選択されることとなり、これはアクセサリや自動車関連のアイテムを含むことができる。他方、ユーザは化粧品を調べることができ、髪の宝石や装身具に関心を示すこともできる。次に選択されるアイテムは、髪により関連が深いものとなり、これにはヘアカラー或いはカツラ等、髪に関連した周辺アイテムや他のアイテムを含むことができる。表示アイテムの実際の変化の方向及び方法、即ち主題の方向(subject direction)は必然的に主観的なものとなる。しかしながら、広告サイトのクリエータは、時間と共にユーザに馴染みあるものとなるような方法によって、画像の内のどのようなタイプのものを表示するのか或いはそれらをどのように組み合わせて次に表示するのかを特定できる。
【００４７】
第７の動作７６で主題の方向を設定した後、第８の動作７８はサーバ或いは他のソース１８に対して、設定された主題の方向によって次の画像を要求する。
【００４８】
第５の動作７０に戻り、前景ゾーン４４での表示のためのアイテムが選択されていない場合には画像の要求を行うが、現在の主題の方向の画像が要求された場合、それが何を意味するかがわかる。
【００４９】
第８の動作７８及び第５の動作７０は、コントロールを第９の動作８０に渡し、移動電話１０、２０は表示する次の画像或いは画像の組を受け取る。次いで、第１０の動作８２は次の画像の組を構築する。画像は高度にコンパクト化された形で送られるため、表示する前に再生しなければならない。これについては後に説明する。次いで、第１１の動作８４は次に構築された画像を記憶した後に、コントロールを第４の動作６６に戻し、新たに得られた画像がアイテムのローリング表示に組み込まれる。
【００５０】
或る状態８６（図５に示された動作或いはテスト以外）から第４のテスト８８に進み、電話の受発信等、他の動作指令が検出され広告を終了することが要求された場合には、移動電話１０、２０は第１２の動作９０において、出口９２に進む前に現在の画像と現在の主題の方向を記憶する。
【００５１】
第５の動作７０や第８の動作７８に示されるように、次にどの画像を表示するかの選択は、サーバや他の装置１８から既に受け取っている移動電話１０、２０内のリストによって行われるか、また好ましくは、移動電話１０、２０に何を送るかの選択をサーバ自身が行うことにより行われる。
【００５２】
図６に、移動電話１０、２０が、第１０の動作８２に示されるような表示アイテムの画像の構築をどのように行うかを示す。入口９４から第５のテスト９６に進み、受信すべき別の画像があるか否かが調べられる。画像が無い場合、ルーチンは出口９８で終了する。第５のテスト９６が、画像が更にあることを検出した場合、第１３の動作１００は第９の動作８０から次の画像を得る。次いで、第６のテスト１０２は、既に受け取られ構築する必要がある画像の性質を調べ決定する。本例においては、第６のテスト１０２は、画像が三次元クラッドワイヤモデルであるか、又は複数の角度ビューであるかを調べる。ワイヤフレームクラッドモデルは、回転させることができ且つ異なる角度から見ることができる実際の三次元構築体である。ワイヤフレームは画像の形状を画定し、テクスチャの被覆がワイヤフレームを覆い表面の外観と詳細を与える。その一方、角度ビュー対象物は、異なる角度で得られた単なる平坦な画像の組である。この技法はビデオゲームにおいて盛んに用いられている。従って、アイテムが選択され前景ゾーン４４に表示される場合には、ワイヤフレームモデルを、二次元の画面に表示される仮想的な三次元空間において実際に回転させることができる。対照的に、前景ゾーン４４に角度ビュー画像が示されている場合は、画像の回転は実際のところ、要求される角度に可能な限り近い角度において得られた異なる画像を選択することを意味する。
【００５３】
従って、第６のテスト１０２が、画像がワイヤフレームモデルであることを検出した場合、第１４の動作１０４はワイヤフレームを得て構成する。これは単純な点から点への構築或いは幾何学的な構築であることができ、分割アルゴリズムを含むこともできる。次いで、第１５の動作でワイヤフレーム上に置かれるレンダリング、テクスチャ或いは他のスキンを得る。更に、このことはテクスチャ或いはテクスチャの画像の単なる受信であることができ、また入念に構築された完成品のアセンブリであることもできる。次いで、第１６の動作１０８はワイヤフレームを覆い画像を完成する。ワイヤフレームモデルを用いた一方法の例を、本出願人らによって２００２年１月１５日に出願された英国特許出願ＧＢ０２００７９７．９に見出すことができ、その内容を本発明の一部を構成するものとしてここに援用する。
【００５４】
第６のテスト１０２が、受け取った画像が角度ビューであることを検出している場合、第１７の動作１１０は単に角度ビューの組を受け取る。次いで、第１８の動作１１２は、画像の用意ができたことを知らせ、コントロールを第５のテスト９６に戻す。本例において送られた画像の性質は単に例示的なものである。実際は、三次元表示及び／又はユーザの操作による多種の角度からの検討ができる種類の画像であれば十分である。複数の画像の送信は時間と帯域幅に関して経済的である。高分解能画像が、信号を連続的に提供すること無しに得られる。ユーザとの対話性も、サーバ１８或いは他の装置を提供しているプロバイダに対するフィードバック経路を必要とすること無しに得られる。
【００５５】
次いで、図７に、移動電話１０、２０が本発明によって作動するときに、アイテムの画像をどのようにして表示するのかを示すフローチャートを示す。
【００５６】
入口１１４から第１９の動作１１６に進み、表示領域２８に表示される次のアイテム（即ちそのアイテムの画像）が選択される。次のアイテムは、現在表示領域２８から出て行くアイテムに取って代わるものである。表示される次のアイテムは少なくとも最初は背景ゾーン３８に置かれるため、第２０の動作１１８は、背景ゾーン３８に適切に表示されるアイテムの画像或いはビューを選択する。背景ゾーン３８画像は、対象物が選択され前景ゾーン４４に表示される場合の画像よりも小さい。次いで、第２１の動作１２０は、背景ゾーン３８に表示されるアイテムの画像のビューを選択するが、このビューはおそらく最初の検討時には前景ゾーン４４において拡大された画像として表示される。次いで、第２２の動作１２２は、背景ゾーン３８の移動表示スロット４０の内の一にアイテムの画像を割り当てる。
【００５７】
第７のテスト１２４において、アイテムの表示された画像が前景ゾーン４４における表示のために選択されていることが検出されない場合、コントロールは第１９の動作１１６に戻され、非選択対象物が表示領域２８から出て行く際に他の対象物が選択され画面２２に入れられる。しかしながら、第７のテスト１２４が、アイテムの画像が表示ゾーン４４における表示と検討のために選択されていることを検出した場合、第２３の動作１２６は選択された対象物画像を移動させ前景ゾーン４４に表示するが、そこでは選択された画像はより大きくなる。先に記述したように、アイテムの選択された画像は、アイテムの変更されたビューを示すことができ、また、前景ゾーン４４の表示は背景ゾーン３８に残された他のアイテムに重なりこれらを覆う。
【００５８】
第８のテスト１２８は、ユーザが前景ゾーン４４の画像を回転させるか操作するかを望んでいるか否かを調べる。望んでいない場合、第９のテスト１３０はユーザが表示・操作セッションの継続を望んでいるか否かを調べる。継続を望んでいる場合は、コントロールは第８のテスト１２８に戻される。第８のテストが、ユーザが前景ゾーン４４に表示されている画像の操作（即ち、回転と検討）を望んでいることを検出した場合、第２４の動作１３２は適切なビューを示すか、或いは選択し、コントロールを第９のテスト１３０に戻す。
【００５９】
第９のテスト１３０が、ユーザが最早現在の前景ゾーン４４の表示や操作・検討を継続することを望んでいないことを検出した場合、コントロールは第１０のテスト１３４に進み、ユーザが前景ゾーン４４に表示されたアイテムの購入を望んでいるのか、それとも最早関心がなく好奇心を捨て去ることを望んでいるのかを調べる。画像が前景ゾーン４４に表示されているアイテムに対してユーザが最早関心を持っていない場合、第２５の動作１３６は前景ゾーン４４に置かれていた対象物を背景ゾーン３８に戻し、背景での画像のサイズと選択された優先固定ビューを用いる。次いで、コントロールは第１９の動作１１６に渡され、その画像が表示領域２８から出て行く対象物と取って代わるために対象物が選択される。
【００６０】
第１０のテスト１３４において、前景ゾーン４４に表示されているアイテムを購入すること或いはそれに関して更なる情報を知ることにのみユーザの関心があることが検出された場合、第２６の動作１３８は購入ルーチン、或いは追加情報収集ルーチンを実行するが、これらは本発明の一部を構成するものではない。このルーチンの終了時に広告が依然として進行している場合は、コントロールは第２５の動作１３６に戻される。
【図１】
2010035195.tif 000003
【図２Ａ】
2010035195.tif 000004
【図２Ｂ】
2010035195.tif 000005
【図３】
2010035195.tif 000006
【図４】
2010035195.tif 000007
【図５】
2010035195.tif 000008
【図６】
2010035195.tif 000009
【図７】
2010035195.tif 000010